(57)【要約】      （修正有）【課題】無線検針システムにおける誤設定を減少させる。【解決手段】固定端末は、固定端末側第２受信手段が受信した信号に含まれるＩＤと記憶手段に記憶されているＩＤとが一致しているか否かを判定するＩＤ確認手段を備え、ＩＤ確認手段による判定結果がＹＥＳの場合に、固定端末側第１受信手段が受信したＧＰＳ信号および携帯端末側第１受信手段が受信したＧＰＳ信号に基づいて、固定端末に対して初期設定を実行するか否かを判定する。【選択図】図２
2012129583.tif 000002
【特許請求の範囲】
【請求項１】
計測機能を有するメータ装置に装着され前記メータ装置の計測結果を送信する固定端末と、
前記固定端末と無線により通信する携帯端末とを備える無線検針システムであって、
前記携帯端末は、
初期設定の対象となる固定端末のＩＤを設定する設定手段と、
ＧＰＳ信号を受信する携帯端末側第１受信手段と、
前記固定端末が送信する信号を受信する携帯端末側第２受信手段と、
前記固定端末へと前記ＩＤを含む信号を送信する携帯端末側送信手段と、を備え、
前記固定端末は、
前記固定端末のＩＤを記憶する記憶手段と、
ＧＰＳ信号を受信する固定端末側第１受信手段と、
前記携帯端末が送信する信号を受信する固定端末側第２受信手段と、
前記携帯端末へと信号を送信する固定端末側送信手段と、
前記固定端末側第２受信手段が受信した信号に含まれるＩＤと前記記憶手段に記憶されているＩＤとが一致しているか否かを判定するＩＤ確認手段と、を備え、
前記ＩＤ確認手段による判定結果がＹＥＳの場合に、前記固定端末側第１受信手段が受信したＧＰＳ信号および前記携帯端末側第１受信手段が受信したＧＰＳ信号に基づいて、前記固定端末に対して初期設定を実行するか否かを判定するように構成されている、無線検針システム。
【請求項２】
前記固定端末は、さらに、前記固定端末側第１受信手段が受信したＧＰＳ信号またはこれに基づいて特定した固定端末位置情報を前記固定端末側送信手段を介して前記携帯端末へと送信する固定端末位置情報送信手段を備え、
前記携帯端末は、さらに、前記固定端末から受信した前記ＧＰＳ信号または前記固定端末位置情報と、前記携帯端末側第１受信手段が受信したＧＰＳ信号に基づいて、前記固定端末と前記携帯端末との距離指標を演算により求める携帯端末側距離演算手段を備え、
前記携帯端末は、前記距離指標が所定条件を満たすときに初期設定要求信号を前記携帯端末側送信手段を介して前記固定端末に送信する一方で、前記距離指標が所定条件を満たさないときには初期設定要求信号を前記携帯端末側送信手段を介して前記固定端末に送信しないように構成されている、請求項１に記載の無線検針システム。
【請求項３】
前記携帯端末は、さらに、前記携帯端末側第１受信手段が受信したＧＰＳ信号またはこれに基づいて特定した携帯端末位置情報を前記携帯端末側送信手段を介して前記固定端末へと送信する携帯端末位置情報送信手段と、前記携帯端末側送信手段を介して初期設定要求信号を前記固定端末へと送信する初期設定要求信号発生手段を備え、
前記固定端末は、さらに、前記携帯端末から受信した前記ＧＰＳ信号または前記携帯端末位置情報と、前記固定端末側第１受信手段が受信したＧＰＳ信号に基づいて、前記固定端末と前記携帯端末との距離指標を演算により求める固定端末側距離演算手段を備え、
前記固定端末は、前記距離指標が所定条件を満たすときに前記初期設定要求信号に対し初期設定実行を通知する応答信号を前記固定端末側送信手段を介して前記携帯端末に返信する一方で、前記距離指標が所定条件を満たさないときには初期設定要求信号に対し初期設定実行を通知する応答信号を前記固定端末側送信手段を介して前記携帯端末に返信しないように構成されている、請求項１に記載の無線検針システム。
【発明の詳細な説明】
【技術分野】
【０００１】
本発明は、無線検針システムに関する。
【背景技術】
【０００２】
特許文献１は、検針装置を開示する。該検針装置は、ＧＰＳ衛星からの電波を受信するＧＰＳアンテナ手段と、前記ＧＰＳアンテナ手段で受信した信号から位置信号を解析するＧＰＳ受信解析手段と、住宅などに設置された複数のメータ装置と、前記メータ装置を設置した場所の位置データを記憶する顧客宅位置データ記憶手段と、前記メータ装置と無線データ通信を行う無線検針手段と、検針範囲を設定する検針距離設定手段と、前記ＧＰＳ受信解析手段からのデータと、前記顧客宅位置データ記憶手段のデータ及び前記各データを表示する表示手段と前記検針距離設定手段に設定されたデータとから検針の対象となるメータ装置を選択する検針箇所選択手段とを備える。
【先行技術文献】
【特許文献】
【０００３】
【特許文献１】特開２００４−１１７１６９号公報
【発明の概要】
【発明が解決しようとする課題】
【０００４】
本発明は、無線検針システムにおいて、誤設定を減少させることを課題とする。
【課題を解決するための手段】
【０００５】
本発明者らは、無線検針システムにおいて、誤設定を減少させるべく鋭意検討を行った。その結果、以下の知見を得た。
【０００６】
ハンディターミナルなどの携帯端末を用いて、ガスメータに取り付けられる無線通信機（ガスメータの計測値等を無線通信技術を用いてガス会社等のサーバ等へ送信する装置）などの固定端末の初期設定（近傍の通信中継器や通信基地との通信用パラメータの設定、その時点でのガスメータの表示値の入力等、ガスメータに無線通信機を取り付ける際に行なわれる一連の設定作業を含む）が行われる無線検針システムを考える。該システムにおいて、密集した住宅地などに固定端末を設置する場合、ガスメータは各戸に設置されるため、携帯端末の近傍に多数の固定端末が存在することになる。設置者（技術者）が、目の前にある固定端末に対して初期設定を行ったと信じたとしても、誤って近隣にある別のガスメータに取り付けられた固定端末に対して初期設定が行われてしまう場合があることが判明した。具体的には例えば、目の前の固定端末では通信装置に不具合があって通信が成立せず、隣の家のガスメータに取り付けられた固定端末との間に誤って通信が成立するような場合が生じうる。
【０００７】
本発明者らは、上記知見を踏まえ、固定端末のＩＤと、ＧＰＳを利用した位置情報とを利用して、初期設定を行おうとする固定端末をダブルチェックすることで、かかる誤設定を低減させることができることに想到した。
【０００８】
すなわち本発明の無線検針システムは、計測機能を有するメータ装置に装着され前記メータ装置の計測結果を送信する固定端末と、前記固定端末と無線により通信する携帯端末とを備える無線検針システムであって、前記携帯端末は、初期設定の対象となる固定端末のＩＤを設定する設定手段と、ＧＰＳ信号を受信する携帯端末側第１受信手段と、前記固定端末が送信する信号を受信する携帯端末側第２受信手段と、前記固定端末へと前記ＩＤ含む信号を送信する携帯端末側送信手段と、を備え、前記固定端末は、前記固定端末のＩＤを記憶する記憶手段と、ＧＰＳ信号を受信する固定端末側第１受信手段と、前記携帯端末が送信する信号を受信する固定端末側第２受信手段と、前記携帯端末へと信号を送信する固定端末側送信手段と、前記固定端末側第２受信手段が受信した信号に含まれるＩＤと前記記憶手段に記憶されているＩＤとが一致しているか否かを判定するＩＤ確認手段と、を備え、前記ＩＤ確認手段による判定結果がＹＥＳの場合に、前記固定端末側第１受信手段が受信したＧＰＳ信号および前記携帯端末側第１受信手段が受信したＧＰＳ信号に基づいて、前記固定端末に対して初期設定を実行するか否かを判定するように構成されている。
【０００９】
かかる構成では、誤設定を減少させることが可能である。
【００１０】
また上記無線検針システムにおいて、前記固定端末は、さらに、前記固定端末側第１受信手段が受信したＧＰＳ信号またはこれに基づいて特定した位置情報を前記固定端末側送信手段を介して前記携帯端末へと送信する固定端末位置情報送信手段を備え、前記携帯端末は、さらに、前記固定端末から受信した前記ＧＰＳ信号または前記位置情報と、前記携帯端末側第１受信手段が受信したＧＰＳ信号に基づいて、前記固定端末と前記携帯端末との距離指標を演算により求める携帯端末側距離演算手段を備え、前記携帯端末は、前記距離指標が所定条件を満たすときに初期初期設定要求信号を前記携帯端末側送信手段を介して前記固定端末に送信する一方で、前記距離指標が所定条件を満たさないときには初期初期設定要求信号を前記携帯端末側送信手段を介して前記固定端末に送信しないように構成されていてもよい。
【００１１】
また上記無線検針システムにおいて、前記携帯端末は、さらに、前記携帯端末側第１受信手段が受信したＧＰＳ信号またはこれに基づいて特定した位置情報を前記携帯端末側送信手段を介して前記固定端末へと送信する携帯端末位置情報送信手段と、前記携帯端末側送信手段を介して初期設定要求信号を前記固定端末へと送信する初期設定要求信号発生手段を備え、前記固定端末は、さらに、前記携帯端末から受信した前記ＧＰＳ信号または前記位置情報と、前記固定端末側第１受信手段が受信したＧＰＳ信号に基づいて、前記固定端末と前記携帯端末との距離指標を演算により求める固定端末側距離演算手段を備え、前記固定端末は、前記距離指標が所定条件を満たすときに前記初期設定要求信号に対し初期設定実行を通知する応答信号を前記固定端末側送信手段を介して前記携帯端末に返信する一方で、前記距離指標が所定条件を満たさないときには初期設定要求信号に対し初期設定実行を通知する応答信号を前記固定端末側送信手段を介して前記携帯端末に返信しないように構成されていてもよい。
【発明の効果】
【００１２】
本発明の無線検針システムによれば、誤設定を減少させることが可能であるという効果を奏する。
【図面の簡単な説明】
【００１３】
【図１】図１は、第１実施形態の無線検針システムの概略構成の一例を示すブロック図である。
【図２】図２は、第１実施形態の無線検針システムに含まれる携帯端末および固定端末の概略構成の一例を示すブロック図である。
【図３】図３は、第２実施形態の無線検針システムに含まれる携帯端末および固定端末の概略構成の一例を示すブロック図である。
【図４】図４は、第２実施形態の無線検針システムに含まれる携帯端末および固定端末のハードウェア構成の一例を示すブロック図である。
【図５】図５は、第２実施形態の無線検針システムにおける初期設定方法の概略の一例を示すフローチャートである。
【図６】図６は、第３実施形態の無線検針システムに含まれる携帯端末および固定端末の概略構成の一例を示すブロック図である。
【図７】図７は、第３実施形態の無線検針システムにおける初期設定方法の概略の一例を示すフローチャートである。
【発明を実施するための形態】
【００１４】
（第１実施形態）
図１は、第１実施形態の無線検針システムの概略構成の一例を示すブロック図である。図２は、第１実施形態の無線検針システムに含まれる携帯端末および固定端末の概略構成の一例を示すブロック図である。
【００１５】
図に示すように、第１実施形態の無線検針システム５００は、計測機能を有するメータ装置３００、３０１、３０２に装着されメータ装置３００、３０１、３０２の計測結果を送信する固定端末２００、２０１、２０２と、固定端末２００、２０１、２０２と無線により通信する携帯端末１００とを備える無線検針システム５００であって、携帯端末１００は、設定の対象となる固定端末のＩＤを設定する設定手段１４と、ＧＰＳ信号を受信する携帯端末側第１受信手段１１と、固定端末２００、２０１、２０２が送信する信号を受信する携帯端末側第２受信手段１３と、固定端末２００、２０１、２０２へとＩＤを含む信号を送信する携帯端末側送信手段１２と、を備え、固定端末２００、２０１、２０２は、固定端末２００、２０１、２０２のＩＤを記憶する記憶手段２４と、ＧＰＳ信号を受信する固定端末側第１受信手段２１と、携帯端末１００が送信する信号を受信する固定端末側第２受信手段２２と、携帯端末１００へと信号を送信する固定端末側送信手段２３と、固定端末側第２受信手段２２が受信した信号に含まれるＩＤと記憶手段２４に記憶されているＩＤとが一致しているか否かを判定するＩＤ確認手段２５と、を備え、ＩＤ確認手段２５による判定結果がＹＥＳの場合に、固定端末側第１受信手段２１が受信したＧＰＳ信号および携帯端末側第１受信手段１１が受信したＧＰＳ信号に基づいて、固定端末２００、２０１、２０２に対して設定を実行するか否かを判定するように構成されている。
【００１６】
図１では、携帯端末が１個、固定端末が３個示されているが、携帯端末および固定端末の数は特に限定されない。
【００１７】
ＩＤは、例えばそれぞれの固定端末に固有のＩＤ番号やアルファベット等の記号列等により構成される。
【００１８】
携帯端末側第１受信手段１１と携帯端末側送信手段１２と携帯端末側第２受信手段１３と設定手段１４とは、例えば、携帯端末１００が備えるＣＰＵとメモリ等に記憶されたプログラム等により実現されうる。それぞれの手段はそれぞれ別個の部品として構成されていてもよいし、同一の部品あるいは同一かつ複数の部品として構成されていてもよい。あるいは、それぞれの手段の一部が同一の部品あるいは同一かつ複数の部品として構成され、その余がそれぞれ別個の部品として構成されていてもよい。
【００１９】
固定端末側第１受信手段２１と固定端末側第２受信手段２２と固定端末側送信手段２３と記憶手段２４とＩＤ確認手段２５とは、例えば、固定端末２００、２０１、２０２が備えるＣＰＵとメモリ等に記憶されたプログラム等により実現されうる。それぞれの手段はそれぞれ別個の部品として構成されていてもよいし、同一の部品あるいは同一かつ複数の部品として構成されていてもよい。あるいは、それぞれの手段の一部が同一の部品あるいは同一かつ複数の部品として構成され、その余がそれぞれ別個の部品として構成されていてもよい。
【００２０】
固定端末側第１受信手段２１が受信したＧＰＳ信号および携帯端末側第１受信手段１１が受信したＧＰＳ信号に基づいて、固定端末２００、２０１、２０２に対して設定を実行するか否かを判定する動作の主体は特に限定されない。該判定は、携帯端末１００において実行されてもよいし、固定端末２００、２０１、２０２において実行されてもよいし、携帯端末１００および固定端末２００、２０１、２０２が協力することで実行されてもよい。あるいは携帯端末１００および固定端末２００、２０１、２０２と異なる別個の装置を備え、該装置により該判定が行われてもよい。
【００２１】
かかる構成によれば、固定端末のＩＤと、ＧＰＳを利用した位置情報とを利用して、初期設定を行おうとする固定端末をダブルチェックすることで、誤設定を減少させることが可能となる。
【００２２】
「初期設定」には、技術者が現場に赴いて実行する必要のある固定端末のリセット作業等の設定作業を含む。
【００２３】
（第２実施形態）
図３は、第２実施形態の無線検針システムに含まれる携帯端末および固定端末の概略構成の一例を示すブロック図である。第２実施形態の無線検針システム６００は、携帯端末１００Ａと固定端末２００Ａ、２０１Ａ、２０２Ａとを備える。
【００２４】
固定端末２００Ａ、２０１Ａ、２０２Ａは、第１実施形態の固定端末２００、２０１、２０２の構成に加え、さらに、固定端末側第１受信手段２１が受信したＧＰＳ信号またはこれに基づいて特定した固定端末位置情報を固定端末側送信手段２３を介して携帯端末へと送信する固定端末位置情報送信手段２６を備える。
【００２５】
携帯端末１００Ａは、第１実施形態の携帯端末１００の構成に加え、さらに、固定端末２００Ａ、２０１Ａ、２０２Ａから受信したＧＰＳ信号または固定端末位置情報と、携帯端末側第１受信手段１１が受信したＧＰＳ信号に基づいて、固定端末２００Ａ、２０１Ａ、２０２Ａと携帯端末１００Ａとの距離指標を演算により求める携帯端末側距離演算手段１５を備える。
【００２６】
携帯端末１００Ａは、距離指標が所定条件を満たすときに初期設定要求信号を携帯端末側送信手段１２を介して固定端末２００Ａ、２０１Ａ、２０２Ａに送信する一方で、距離指標が所定条件を満たさないときには初期設定要求信号を携帯端末側送信手段１２を介して固定端末２００Ａ、２０１Ａ、２０２Ａに送信しないように構成されている。
【００２７】
［ハードウェア構成］
図４は、第２実施形態の無線検針システムに含まれる携帯端末および固定端末のハードウェアの概略構成の一例を示すブロック図である。第２実施形態の無線検針システムも、図１と同様に構成しうる。
【００２８】
図１および図４に示すように、第２実施形態の無線検針システム６００は、携帯端末１００Ａと、固定端末２００Ａ、２０１Ａ、２０２Ａとを備えている。携帯端末１００Ａは、ＧＰＳ信号受信機３１と、送信器３２と、受信器３３と、制御器３４と、記憶器３５と、入力器３６とを備える。固定端末２００Ａ、２０１Ａ、２０２Ａは、ＧＰＳ信号受信器４１と、受信器４２と、送信器４３と、制御器４４と、記憶器４５とを備えている。なお、携帯端末および固定端末の数は特に限定されない。
【００２９】
ＧＰＳ信号受信機３１およびＧＰＳ信号受信器４１は、具体的には例えば、ＧＰＳアンテナを含んで構成されうる。
【００３０】
送信器３２および送信器４３は、具体的には例えば、アンテナ、増幅器および発振器等を含んで構成されうる。受信器３３および受信器４２は、具体的には例えば、アンテナ、増幅器等を含んで構成されうる。送信器３２および受信器３３を構成する部品の一部は共通していてもよい。送信器４３および受信器４２を構成する部品の一部は共通していてもよい。
【００３１】
制御器３４および制御器４４は、具体的には例えば、マイクロコントローラ、ＭＰＵ、ＰＬＣ（Programmable Logic Computer）、論理回路等で構成されうる。制御器３４および制御器４４は、それぞれ集中制御する単独の制御器によって構成されていてもよく、互いに協働して分散制御する複数の制御器によって構成されていてもよい。例えば、後述する各手段毎に異なる制御器が設けられていてもよいし、各手段の任意の組合せ毎に単一の制御器が設けられていてもよい。
【００３２】
記憶器３５および記憶器４５は、具体的には例えば、ＲＡＭや不揮発性メモリ等により構成されうる。
【００３３】
入力器３６は、具体的には例えば、キーボードやボタンなどの入力装置、スキャナやカメラなどの画像入力装置、マイクなどの音声入力装置など、任意の入力装置により構成されうる。
【００３４】
ＧＰＳ信号受信機３１と制御器３４と記憶器３５とで、第１実施形態における携帯端末側第１受信手段１１が実現されうる。送信器３２と制御器３４と記憶器３５とで、第１実施形態における携帯端末側送信手段１２が実現されうる。受信器３３と制御器３４と記憶器３５とで、第１実施形態における携帯端末側第２受信手段１３が実現されうる。入力器３６と制御器３４と記憶器３５とで、第１実施形態における設定手段１４が実現されうる。実現される各手段の具体的な機能は第１実施形態と同様である。上記固定端末位置情報送信手段は、制御器３４と記憶器３５とで実現されうる。
【００３５】
ＧＰＳ信号受信器４１と制御器４４と記憶器４５とで、第１実施形態における固定端末側第１受信手段２１が実現されうる。受信器４２と制御器４４と記憶器４５とで、第１実施形態における固定端末側第２受信手段２２が実現されうる。送信器４３と制御器４４と記憶器４５とで、第１実施形態における固定端末側送信手段２３が実現されうる。記憶器４５により、第１実施形態における記憶手段２４が実現されうる。制御器４４と記憶器４５とで、第１実施形態におけるＩＤ確認手段２５が実現されうる。実現される各手段の具体的な機能は第１実施形態と同様である。上記携帯端末側距離演算手段は、制御器４４と記憶器４５とで実現されうる。
【００３６】
［動作］
図５は、第２実施形態の無線検針システムにおける初期設定方法の概略の一例を示すフローチャートである。図面中、左側が携帯端末における動作、右側が固定端末における動作である。携帯端末における動作は、制御器３４の制御に基づいて実行される。固定端末における動作は、制御器４４の制御に基づいて実行される。ここでは、複数存在する固定端末２００Ａ、２０１Ａ、２０２Ａのうち、固定端末２００Ａに対して初期設定が行われる場合を考える。
【００３７】
無線検針システム６００において初期設定が開始されると（スタート）、携帯端末１００Ａにおいて、入力器３６により初期設定の対象となる固定端末２００ＡのＩＤ（以下、初期設定対象固定端末ＩＤ）が設定される（ステップＳ１０１）。該設定は、例えば、キーボードによるＩＤの入力、ボタンによるＩＤの選択、デジタルカメラによる固定端末２００の表面に印刷されたバーコード等の読み込み、マイクによるＩＤの音声入力など任意の設定方法を採用しうる。
【００３８】
次に、携帯端末１００Ａにおいて、初期設定対象固定端末ＩＤが送信器３２を介して固定端末へと送信される（ステップＳ１０２）。同時に固定端末に対し、自らの位置情報を取得して携帯端末１００Ａへ送信する要求が、送信器３２を介して送信される（ステップＳ１０２）。
【００３９】
次に、固定端末において、制御器４４が、携帯端末１００Ａから受信器４２を介して受信した初期設定対象固定端末ＩＤと、記憶器４５に記憶されている自身（固定端末）のＩＤとを比較して、両者が一致するか否かを判定する（ステップＳ１０３）。判定結果がＮＯである場合には、エラー報知が行われる（ステップＳ１０４）。エラー報知は、例えば、エラー発生信号が誤って通信対象となっている固定端末２０１Ａ、２０２Ａから携帯端末１００Ａへと送信され、携帯端末１００Ａの表示器（図示せず）において行われてもよい。
【００４０】
ステップＳ１０３の判定結果がＹＥＳの場合、固定端末のＧＰＳ信号受信器４１によるＧＰＳ信号の受信が開始され、固定端末の位置情報（固定端末位置情報）が取得される（ステップＳ１０５）。
【００４１】
次に、固定端末位置情報が送信器４３を介して携帯端末１００Ａへと送信される（ステップＳ１０７）。
【００４２】
また、ステップＳ１０２の後、携帯端末１００ＡではＧＰＳ信号受信機３１によるＧＰＳ信号の受信が開始され、携帯端末１００Ａの位置情報（携帯端末位置情報）が取得される（ステップＳ１０６）。
【００４３】
次に、携帯端末１００Ａにおいて、制御器３４が、固定端末から受信器３３を介して受信した固定端末位置情報と、ステップＳ１０６で取得された携帯端末位置情報とに基づいて、携帯端末１００Ａと固定端末との間の距離を演算する。その後、制御器３４は、得られた距離が所定の距離（例えば、２メートル）より近いか否かの判定を行う（ステップＳ１０８）。判定結果がＮＯの場合には、エラー報知が行われる（ステップＳ１０９）。エラー報知は、例えば、携帯端末１００Ａの表示器（図示せず）において行われてもよい。
【００４４】
ステップＳ１０８の判定が、固定端末に対して初期設定を実行するか否かの判定となる。ステップＳ１０８の判定結果がＹＥＳの場合、携帯端末１００Ａで設定されたＩＤと、通信対象となっている固定端末のＩＤとが一致しており、さらに、携帯端末１００Ａと通信対象となっている固定端末の距離が近いので、設定対象となっている固定端末２００Ａと携帯端末１００Ａとの通信が意図した通りに成立している蓋然性が高くなる。そこで、携帯端末１００Ａから送信器３２を介して固定端末へと初期設定を要求する信号（初期設定要求信号）と、初期設定に関する情報（初期設定情報）が送信される（ステップＳ１１０）。初期設定情報には、例えば、通信設定と、メータ装置と固定端末との関連付けに必要な情報（メータ装置のＩＤと、固定端末をメータ装置に装着した時のメータの指針値（流量値））が含まれる。
【００４５】
次に、固定端末では、携帯端末１００Ａから受信器４２を介して受け取った初期設定要求信号をうけ、受け取った初期設定情報を利用して、固定端末の初期設定が行われる（ステップＳ１１１）。
【００４６】
以上により、携帯端末および固定端末の両方について、無線検針システム６００における初期設定が完了する（エンド）。
【００４７】
携帯端末位置情報の取得および固定端末位置情報の取得のいずれか一方あるいは両方は、初期設定が開始される前に行われてもよい。ステップＳ１０７で送信される固定端末位置情報は、位置情報に変換される前の、固定端末が受信したＧＰＳ信号そのものであってもよい。その場合、固定端末の位置は携帯端末側で演算されることとしうる。ステップＳ１０８の距離の演算は、距離そのものが演算される態様に限定されず、距離が近いか否かを判定するのに用いられうる何らかの指標（距離指標）が演算されてもよい。
【００４８】
初期設定情報を送信するタイミングは特に限定されない。例えば、初期設定情報がステップＳ１０２において送信されてもよい。この場合、ステップＳ１０８の判定結果がＹＥＳとなった後で、初期設定の実行を指示する信号が携帯端末から固定端末へと送信されてもよい。初期設定要求信号と初期設定情報とは、一体であってもよい。
【００４９】
（第３実施形態）
図６は、第３実施形態の無線検針システムに含まれる携帯端末および固定端末の概略構成の一例を示すブロック図である。第３実施形態の無線検針システム７００は、携帯端末１００Ｂと固定端末２００Ｂ、２０１Ｂ、２０２Ｂとを備える。
【００５０】
携帯端末１００Ｂは、さらに、携帯端末側第１受信手段１１が受信したＧＰＳ信号またはこれに基づいて特定した携帯端末位置情報を携帯端末側送信手段１２を介して固定端末２００Ｂ、２０１Ｂ、２０２Ｂへと送信する携帯端末位置情報送信手段１６と、携帯端末側送信手段１２を介して初期設定要求信号を固定端末２００Ｂ、２０１Ｂ、２０２Ｂへと送信する初期設定要求信号発生手段１７を備える。
【００５１】
固定端末２００Ｂ、２０１Ｂ、２０２Ｂは、第１実施形態の固定端末２００、２０１、２０２の構成に加え、さらに、携帯端末１００Ｂから受信したＧＰＳ信号または携帯端末位置情報と、固定端末側第１受信手段２１が受信したＧＰＳ信号に基づいて、固定端末２００Ｂ、２０１Ｂ、２０２Ｂと携帯端末１００Ｂとの距離指標を演算により求める固定端末側距離演算手段２７を備える。
【００５２】
固定端末２００Ｂ、２０１Ｂ、２０２Ｂは、距離指標が所定条件を満たすときに初期設定要求信号に対し初期設定実行を通知する応答信号を固定端末側送信手段２３を介して携帯端末１００Ｂに返信する一方で、距離指標が所定条件を満たさないときには初期設定要求信号に対し初期設定実行を通知する応答信号を固定端末側送信手段２３を介して携帯端末１００Ｂに返信しないように構成されている。
【００５３】
［ハードウェア構成］
第３実施形態の無線検針システム７００のハードウェア構成は、第２実施形態（図４）と同様とすることができるので、詳細な説明を省略する。第３実施形態の無線検針システムも、図１と同様に構成しうる。
【００５４】
第３実施形態においても、図４と同様の構成により、第２実施形態で説明したように、第１実施形態で説明した各手段が実現されうる。
【００５５】
上記携帯端末位置情報送信手段１６は、制御器３４と記憶器３５とで実現されうる。初期設定要求信号発生手段１７は、制御器３４と記憶器３５とで実現されうる。固定端末側距離演算手段２７は、制御器４４と記憶器４５とで、実現されうる。
【００５６】
［動作］
図７は、第３実施形態の無線検針システムにおける初期設定方法の概略の一例を示すフローチャートである。図面中、左側が携帯端末における動作、右側が固定端末における動作である。携帯端末における動作は、制御器３４の制御に基づいて実行される。固定端末における動作は、制御器４４の制御に基づいて実行される。ここでは、複数存在する固定端末２００Ｂ、２０１Ｂ、２０２Ｂのうち、固定端末２００Ｂに対して初期設定が行われる場合を考える。
【００５７】
無線検針システム７００において初期設定が開始されると（スタート）、携帯端末１００Ｂにおいて、入力器３６により初期設定の対象となる固定端末２００ＢのＩＤ（以下、初期設定対象固定端末ＩＤ）が設定される（ステップＳ２０１）。該設定は、例えば、キーボードによるＩＤの入力、ボタンによるＩＤの選択、デジタルカメラによる固定端末２００の表面に印刷されたバーコード等の読み込み、マイクによるＩＤの音声入力など任意の設定方法を採用しうる。
【００５８】
次に、携帯端末１００Ｂにおいて、ＧＰＳ信号受信機３１によるＧＰＳ信号の受信が開始され、携帯端末１００Ｂの位置情報（携帯端末位置情報）が取得される（ステップＳ２０２）。
【００５９】
次に、携帯端末１００Ｂにおいて、初期設定対象固定端末ＩＤと、携帯端末位置情報と、初期設定を要求する信号（初期設定要求信号）と、初期設定に関する情報（初期設定情報）とが送信器３２を介して固定端末へと送信される（ステップＳ２０３）。初期設定情報には、例えば、通信設定と、メータ装置と固定端末との関連付けに必要な情報（メータ装置のＩＤと、固定端末をメータ装置に装着した時のメータの指針値（流量値））が含まれる。
【００６０】
次に、固定端末において、制御器４４が、携帯端末１００Ｂから受信器４２を介して受信した初期設定対象固定端末ＩＤと、記憶器４５に記憶されている自身（固定端末）のＩＤとを比較して、両者が一致するか否かを判定する（ステップＳ２０４）。判定結果がＮＯである場合には、エラー報知が行われる（ステップＳ２０５）。エラー報知は、例えば、エラー発生信号が誤って通信対象となっている固定端末２０１Ｂ、２０２Ｂから携帯端末１００Ｂへと送信され、携帯端末１００Ｂの表示器（図示せず）において行われてもよい。
【００６１】
ステップＳ２０４の判定結果がＹＥＳの場合、固定端末のＧＰＳ信号受信器４１によるＧＰＳ信号の受信が開始され、固定端末の位置情報（固定端末位置情報）が取得される（ステップＳ２０６）。
【００６２】
次に、固定端末において、制御器４４が、携帯端末１００Ｂから受信器４２を介して受信した携帯端末位置情報と、ステップＳ２０６で取得された固定端末位置情報とに基づいて、携帯端末１００Ｂと固定端末との間の距離を演算する。その後、制御器４４は、得られた距離が所定の距離（例えば、２メートル）より近いか否かの判定を行う（ステップＳ２０７）。判定結果がＮＯの場合には、エラー報知が行われる（ステップＳ２０８）。エラー報知は、例えば、携帯端末１００Ｂの表示器（図示せず）において行われてもよい。
【００６３】
ステップＳ２０７の判定が、固定端末に対して初期設定を実行するか否かの判定となる。ステップＳ２０７の判定結果がＹＥＳの場合、携帯端末１００Ｂで設定されたＩＤと、通信対象となっている固定端末のＩＤとが一致しており、さらに、携帯端末１００Ｂと通信対象となっている固定端末の距離が近いので、設定対象となっている固定端末２００Ｂと携帯端末１００Ｂとの通信が意図した通りに成立している蓋然性が高くなる。そこで、固定端末において携帯端末１００Ｂから受信器４２を介して受け取った初期設定情報を利用して、固定端末の初期設定が行われる（ステップＳ２０９）。
【００６４】
その後、固定端末から送信器４３を介して携帯端末１００Ｂへと、初期設定実行を通知する応答信号（初期設定実行通知）が送信される（ステップＳ２１０）。
【００６５】
以上により、携帯端末および固定端末の両方について、無線検針システム７００における初期設定が完了する（エンド）。
【００６６】
携帯端末位置情報の取得および固定端末位置情報の取得のいずれか一方あるいは両方は、初期設定が開始される前に行われてもよい。ステップＳ２０８で送信される携帯端末位置情報は、位置情報に変換される前の、携帯端末が受信したＧＰＳ信号そのものであってもよい。その場合、携帯端末の位置は携帯端末側で演算されることとしうる。ステップＳ２０７の距離の演算では、距離そのものが演算される態様に限定されず、距離が近いか否かを判定するのに用いられうる何らかの指標（距離指標）が演算されてもよい。
【００６７】
初期設定要求信号と初期設定情報とは、一体であってもよい。
【００６８】
初期設定情報を送信するタイミングは特に限定されない。例えば、初期設定情報がステップＳ２０７の後に送信されてもよい。この場合、ステップＳ２０７の判定結果がＹＥＳとなった後で、初期設定情報を要求する信号が固定端末から携帯端末へと送信され、これを受けて携帯端末が初期設定情報を固定端末に送信することとしうる。この場合には、初期設定情報を要求する信号が、初期設定の実行を通知する応答信号となる。
【００６９】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７０】
本発明の無線検針システムは、誤設定を減少させることが可能な無線検針システムとして有用である。
【符号の説明】
【００７１】
１１  携帯端末側第１受信手段
１２  携帯端末側送信手段
１３  携帯端末側第２受信手段
１４  設定手段
１５  携帯端末側距離演算手段
１６  携帯端末位置情報送信手段
１７  初期設定要求信号発生手段
２１  固定端末側第１受信手段
２２  固定端末側第２受信手段
２３  固定端末側送信手段
２４  記憶手段
２５  ＩＤ確認手段
２６  固定端末位置情報送信手段
２７  固定端末側距離演算手段
３１  ＧＰＳ信号受信機
３２  送信器
３３  受信器
３４  制御器
３５  記憶器
３６  入力器
４１  ＧＰＳ信号受信器
４２  受信器
４３  送信器
４４  制御器
４５  記憶器
１００  携帯端末
２００  固定端末
３００  メータ装置
５００  無線検針システム
６００  無線検針システム
７００  無線検針システム
【図１】
2012129583.tif 000003
【図２】
2012129583.tif 000004
【図３】
2012129583.tif 000005
【図４】
2012129583.tif 000006
【図５】
2012129583.tif 000007
【図６】
2012129583.tif 000008
【図７】
2012129583.tif 000009